【手続補正書】
【提出日】平成17年11月14日(2005.11.14)
【手続補正１】
【補正対象書類名】明細書
【補正対象項目名】発明の名称
【補正方法】変更
【補正の内容】
【発明の名称】画像形成装置および画像形成システム
【手続補正２】
【補正対象書類名】明細書
【補正対象項目名】特許請求の範囲
【補正方法】変更
【補正の内容】
【特許請求の範囲】
【請求項１】  画像形成が施されたシートを排出する複数の排出手段と、
該複数の排出手段の内の一つを選択してシートの排出経路を切替える排出先切替え手段と、
前記複数の排出手段の内少なくとも一つの排出手段に接続可能でシートに所定の処理を行うシート後処理装置と、
該シート後処理装置への通電を制御する電力制御手段と、
を備え、画像形成が施されたシートに後処理を施す指定がされなかった場合、前記排出先切替え手段はシートの排出先をシート後処理装置以外の排出先に切替え、前記電力制御手段はシート後処理手段への電力供給を切断するかもしくは減少させることを特徴とする画像形成装置。
【請求項２】  画像形成が施されたシートを排出する複数の排出手段と、
該複数の排出手段の内の一つを選択してシートの排出経路を切替える排出先切替え手段と、
前記複数の排出手段の内少なくとも一つの排出手段に接続可能でシートに所定の処理を行うシート後処理装置と、
該シート後処理装置への通電を制御する電力制御手段と、
を備え、画像形成が施されたシートの排出先にシート後処理手段以外が指定された場合、排出先切替え手段はシートの排出先をシート後処理装置以外の排出先に切替え、電力制御手段はシート後処理手段への電力供給を切断するかもしくは減少させることを特徴とする画像形成装置。
【請求項３】  シート後処理装置は、シートに対する孔開け、積載、整合、綴じの少なくとも何れかの機能を備えていることを特徴とする請求項１または２に記載の画像形成装置。
【請求項４】  請求項１または２の何れかに記載の画像形成装置を有し、シートに描かれた画像を読取る画像読取り手段を備え、該画像読取り手段により読取った画像を別のシートに画像形成するようにしたことを特徴とする画像形成システム。
【請求項５】  高さ方向の異なる位置に設置した画像読取り手段と画像形成手段の間に少なくとも一つのシート積載手段を有し、該シート積載手段にシートが排出可能な位置に少なくとも一つの排出手段を備えていることを特徴とする請求項４に記載の画像形成システム。
【請求項６】  画像読取り手段と画像形成手段の間のシート積載手段が、後処理が施されたシートを積載するようにしたことを特徴とする請求項５に記載の画像形成システム。
【手続補正３】
【補正対象書類名】明細書
【補正対象項目名】０００５
【補正方法】変更
【補正の内容】
【０００５】
本発明は、上記のような問題点に鑑みてなされたものであり、その目的は、後処理の必要のない出力紙を排出する場合には自身が電力消費することなくシートを排出することができ、消費電力を減らすことができる画像形成装置および画像形成システムを提供することである。
【手続補正４】
【補正対象書類名】明細書
【補正対象項目名】０００６
【補正方法】変更
【補正の内容】
【０００６】
【課題を解決するための手段】
上記目的を達成するため、本発明では、画像形成装置を次の（１）〜（３）のとおりに構成し、画像形成システムを次の（４）ないし（６）のとおりに構成する。
（１）画像形成が施されたシートを排出する複数の排出手段と、
該複数の排出手段の内の一つを選択してシートの排出経路を切替える排出先切替え手段と、
前記複数の排出手段の内少なくとも一つの排出手段に接続可能でシートに所定の処理を行うシート後処理装置と、
該シート後処理装置への通電を制御する電力制御手段と、
を備え、画像形成が施されたシートに後処理を施す指定がされなかった場合、前記排出先切替え手段はシートの排出先をシート後処理装置以外の排出先に切替え、前記電力制御手段はシート後処理手段への電力供給を切断するかもしくは減少させる画像形成装置。
（２）画像形成が施されたシートを排出する複数の排出手段と、
該複数の排出手段の内の一つを選択してシートの排出経路を切替える排出先切替え手段と、
前記複数の排出手段の内少なくとも一つの排出手段に接続可能でシートに所定の処理を行うシート後処理装置と、
該シート後処理装置への通電を制御する電力制御手段と、
を備え、画像形成が施されたシートの排出先にシート後処理手段以外が指定された場合、排出先切替え手段はシートの排出先をシート後処理装置以外の排出先に切替え、電力制御手段はシート後処理手段への電力供給を切断するかもしくは減少させる画像形成装置。
（３）シート後処理装置は、シートに対する孔開け、積載、整合、綴じの少なくとも何れかの機能を備えている前記（１）または（２）に記載の画像形成装置。
（４）前記（１）または（２）の何れかに記載の画像形成装置を有し、シートに描かれた画像を読取る画像読取り手段を備え、該画像読取り手段により読取った画像を別のシートに画像形成するようにした画像形成システム。
（５）高さ方向の異なる位置に設置した画像読取り手段と画像形成手段の間に少なくとも一つのシート積載手段を有し、該シート積載手段にシートが排出可能な位置に少なくとも一つの排出手段を備えている前記（４）に記載の画像形成システム。
（６）画像読取り手段と画像形成手段の間のシート積載手段が、後処理が施されたシートを積載するようにした前記（５）に記載の画像形成システム。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００４３
【補正方法】削除
【補正の内容】
【手続補正１５】
【補正対象書類名】明細書
【補正対象項目名】００４４
【補正方法】削除
【補正の内容】
【手続補正１６】
【補正対象書類名】明細書
【補正対象項目名】００４５
【補正方法】削除
【補正の内容】
【手続補正１７】
【補正対象書類名】明細書
【補正対象項目名】００４６
【補正方法】削除
【補正の内容】
【手続補正１８】
【補正対象書類名】明細書
【補正対象項目名】００４７
【補正方法】削除
【補正の内容】
【手続補正１９】
【補正対象書類名】明細書
【補正対象項目名】００４８
【補正方法】削除
【補正の内容】
【手続補正２０】
【補正対象書類名】明細書
【補正対象項目名】００４９
【補正方法】削除
【補正の内容】
【手続補正２１】
【補正対象書類名】明細書
【補正対象項目名】００５０
【補正方法】削除
【補正の内容】
【手続補正２２】
【補正対象書類名】明細書
【補正対象項目名】００５１
【補正方法】削除
【補正の内容】
【手続補正２３】
【補正対象書類名】明細書
【補正対象項目名】００５２
【補正方法】削除
【補正の内容】